(57)【要約】【課題】直角が出ていないコーナー部においても、ガタつきを抑制し、容易に取り付けることができる棚を提供する。【解決手段】棚１は、第１壁面から突起するように設けられた第１棚受部２１に取り付けられる第１側辺部１１と、第１壁面との間にコーナー部を形成する第２壁面に設けられた第２棚受部２２に取り付けられる第２側辺部１２とを備える。第１棚受部２１は、第１壁面から突起するボス２１ａを有する。第１側辺部１１は、ボス２１ａを挿入する挿入孔１１ｄを有する。ボス２１ａと挿入孔１１ｄとの間には、軟質性の滑り止め部２１ｄが設けられている。【選択図】図３
2019013335.tif 000002
【特許請求の範囲】
【請求項１】
第１壁面から突起するように設けられた第１棚受部に取り付けられる第１側辺部と、前記第１壁面との間にコーナー部を形成する第２壁面に設けられた第２棚受部に取り付けられる第２側辺部と、を備え、前記コーナー部に配設される棚において、
前記第１棚受部は、前記第１壁面から突起するボスを有し、
前記第１側辺部は、前記ボスを挿入する挿入孔を有し、
前記ボスと前記挿入孔との間に軟質性の滑り止め部が設けられていることを特徴とする棚。
【請求項２】
前記滑り止め部は、円筒状であり、前記ボスの外周部に設けられていることを特徴とする請求項１に記載の棚。
【請求項３】
前記滑り止め部は、外径寸法が前記挿入孔の内径寸法よりも大きいことを特徴とする請求項２に記載の棚。
【請求項４】
前記ボスは、先端部に前記滑り止め部の抜け止めとなる規制部を有することを特徴とする請求項１から３のいずれか１項に記載の棚。
【請求項５】
前記第２側辺部は、前記第２棚受部に嵌め合わされており、
前記第２側辺部と前記第２棚受部との嵌め合い部分に、前記第２壁面に沿う水平方向のクリアランスが設けられていることを特徴とする請求項１から４のいずれか１項に記載の棚。
【請求項６】
前記滑り止め部は、前記ボスに一体的に形成されており、前記ボスよりも硬度が低いことを特徴とする請求項１から５のいずれか１項に記載の棚。
【発明の詳細な説明】
【技術分野】
【０００１】
本発明は、浴室ユニット等のコーナー部に設けられる棚に関する。
【背景技術】
【０００２】
浴室ユニットは、湯を溜める浴槽と、浴槽の手前側に設けた洗い場床を有し、周囲を壁パネル、上方を天井パネルで覆われている。浴室ユニット内の空間には、浴槽、シャワー装置、カウンターおよび鏡等の備品のほか、壁面のコーナー部分に棚が設けられ、ユーザが入浴時に使用するシャンプー容器などの物品が載せ置かれる。
【０００３】
例えば、特許文献１には、横方向の長孔を有するボス部を備えた取付部材が浴室コーナーを形成する両側の壁にそれぞれ取り付けられ、該両側の取付部材のボス部に引っ掛けられる棚が開示されている。棚は、壁が鋭角に交差するようにコーナーが形成されている場合、取付部材をコーナーから離れる方向に動かしてガタつきを無くし、この状態でビスをしっかりと締め付けて取付部材を固定することで、ガタつきなく壁に取り付けることができる。
【先行技術文献】
【特許文献】
【０００４】
【特許文献１】特開２００７−３１３０３２号公報
【発明の概要】
【発明が解決しようとする課題】
【０００５】
特許文献１に記載の棚は、取付部材を壁に仮固定して棚を取り付けた状態で、ガタつきがないように取付部材を動かす工程や、棚を取付部材に取り付けた状態でビスを締め付ける工程が必要であり、組立作業に手間がかかっていた。また、棚を取付部材に取り付けた状態でビスを締め付ける工程では、棚の下側で工具を用いるため作業性が良いものではなかった。
【０００６】
本発明は、斯かる事情に鑑みてなされたものであり、その目的とするところは、直角が出ていないコーナー部においても、ガタつきを抑制し、容易に取り付けることができる棚を提供することにある。
【課題を解決するための手段】
【０００７】
本発明に係る棚は、第１壁面から突起するように設けられた第１棚受部に取り付けられる第１側辺部と、前記第１壁面との間にコーナー部を形成する第２壁面に設けられた第２棚受部に取り付けられる第２側辺部と、を備え、前記コーナー部に配設される棚において、前記第１棚受部は、前記第１壁面から突起するボスを有し、前記第１側辺部は、前記ボスを挿入する挿入孔を有し、前記ボスと前記挿入孔との間に軟質性の滑り止め部が設けられていることを特徴とする。
【発明の効果】
【０００８】
本発明によれば、棚は、直角が出ていないコーナー部においても、ガタつきを抑制し、容易に取り付けることができる。
【図面の簡単な説明】
【０００９】
【図１】実施形態に係る棚の外観を示す斜視図である。
【図２】棚の平面図である。
【図３】棚の上方背側から見た斜視図である。
【図４】棚の下方背側から見た斜視図である。
【図５】図２に示すＡ−Ａ線による断面図である。
【図６】棚の第２側辺部側から見た側面図である。
【図７】図６に示すＢ−Ｂ線による断面図である。
【図８】棚の取付方法を説明するための模式図である。
【図９】コーナー部が鋭角に形成されている場合の棚の取付状態を示す模式図である。
【図１０】第２側辺部の切欠部と第２棚受部の胴部との嵌め合い部分を示す模式図である。
【図１１】コーナー部が鈍角に形成されている場合の棚の取付状態を示す模式図である。
【図１２】第２側辺部の切欠部と第２棚受部の胴部との嵌め合い部分を示す模式図である。
【図１３】棚に下向きの荷重が加わる場合を説明するための模式図である。
【図１４】棚に上向きの荷重が加わる場合を説明するための模式図である。
【図１５】変形例に係る棚の第２側辺部における切欠部に設ける規制部材の外観を示す斜視図である。
【発明を実施するための形態】
【００１０】
以下、本発明を好適な実施の形態をもとに図１から図１５を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は実施形態に係る棚１の外観を示す斜視図であり、図２は棚１の平面図である。棚１は、例えば浴室ユニットのコーナー部を形成する壁パネル９１および９２に配設されている。壁パネル９１および９２は、互いに略垂直に端部同士で突き合わされて連結されている。尚、本発明に係る棚は、浴室ユニット内に配設されるほか、例えば居室や廊下等におけるコーナー部に配設される棚に適用することができる。
【００１２】
棚１は、底板１０、第１側辺部１１、および第２側辺部１２を有する。底板１０は、三角形状をなし、前端側が前方に対してやや凹状に湾曲しており、前端から上方に立ち上がる前板部１ａに連続している。前板部１ａは、底板１０の形状に合わせて前方に対してやや凹状に湾曲している。底板１０の背側は、壁パネル９１の壁面９１ａに沿って水平に延びる第１側辺部１１、壁パネル９２の壁面９２ａに沿って水平に延びる第２側辺部１２に連続している。
【００１３】
第１側辺部１１は、底板１０の背側の端部から上方に立ち上がる第１壁部１１ａ、および第１壁部１１ａの上端から水平に壁面９１ａに向って延びる第１フランジ部１１ｂを有する。第２側辺部１２は、底板１０の背側の端部から上方に立ち上がる第２壁部１２ａ、および第２壁部１２ａの上端から水平に壁面９２ａに向って延びる第２フランジ部１２ｂを有する。第１壁部１１ａおよび第２壁部１２ａは、互いに略垂直であり、コーナー側で連続している。同様に、第１フランジ部１１ｂおよび第２フランジ部１２ｂは、互いに略垂直であり、コーナー側で連続している。
【００１４】
前板部１ａは、壁パネル９１側の端部が第３壁部１３に連続している。第３壁部１３は、底板１０における第２側辺部１２側と反対側の端部から上方に立ち上がるように設けられている。第３壁部１３は、壁パネル９１側の端部が第１壁部１１ａに連続している。底板１０は、第１壁部１１ａ、第２壁部１２ａ、前板部１ａ、および第３壁部１３によって囲繞されている。底板１０のコーナー部には水抜き孔１４が設けられている。
【００１５】
第１側辺部１１は、壁パネル９１の壁面９１ａから突起するように設けられた第１棚受部２１（図２参照）に取り付けられる。第２側辺部１２は、壁パネル９２の壁面９２ａから突起するように設けられた第２棚受部２２に取り付けられる。第１棚受部２１は、第１側辺部１１の壁面９１ａに沿う水平方向における両端部に対応する位置に配設されている。第２棚受部２２は、第２側辺部１２の壁面９２ａに沿う水平方向における前板部１ａ側の端部に対応する位置に配設されている。
【００１６】
図３は棚１の上方背側から見た斜視図であり、図４は棚１の下方背側から見た斜視図である。尚、図３および図４には、壁面９１ａおよび９１ｂに配設される第１棚受部２１および第２棚受部２２も図示されている。第１側辺部１１は、第１フランジ部１１ｂの壁面９１ａ側の端部から下方に延びる板状の第１背板部１１ｃを有する。第１背板部１１ｃは、第１側辺部１１の壁面９１ａに沿う水平方向における両端部に設けられている。第１背板部１１ｃには、それぞれ第１棚受部２１を壁面９１ａの法線方向に挿入するための円形状の挿入孔１１ｄが設けられている。
【００１７】
第１棚受部２１は、円筒状のボス２１ａをビス２１ｂによって壁面９１ａに固定し、キャップ２１ｃをボス２１ａの先端側に嵌め込み、ボス２１ａの外周に円筒状の滑り止め部２１ｄを嵌め合わせた構成としている。ボス２１ａの先端部分には、径方向に張り出す鍔状の規制部２１ｅが形成されている。規制部２１ｅは、滑り止め部２１ｄがボス２１ａの先端側から抜け出ないように規制している。第１棚受部２１は、壁面９１ａからボス２１ａが突起するように設けられている。ボス２１ａは、硬質性の樹脂材料等で形成されており、外径寸法が第１背板部１１ｃに設けた挿入孔１１ｄの内径寸法よりも小さい。これに対し、滑り止め部２１ｄの外径寸法は、挿入孔１１ｄの内径寸法よりも大きい。
【００１８】
滑り止め部２１ｄは、シリコンやゴム等の軟質性の樹脂材料で形成されており、第１背板部１１ｃの挿入孔１１ｄに挿入される際に、押圧されて弾性的に変形し、挿入孔１１ｄとの間で摩擦力を生じることで、滑り止めとなっている。ボス２１ａの外径寸法が挿入孔１１ｄの内径寸法より小さいため、ボス２１ａに対して挿入孔１１ｄが、壁面９１ａに平行な水平軸まわりに相対的に回動し得る。このとき、滑り止め部２１ｄは、挿入孔１１ｄの内周縁から荷重を受けることで、更に弾性的に変形する。ボス２１ａは、挿入孔１１ｄが壁面９１ａに平行な水平軸まわりに自身に対して相対的に回動した際に、挿入孔１１ｄの内周面がボス２１ａの外周面に当接して回動が停止するように十分な高さを有するものとする。
【００１９】
第２側辺部１２は、第２フランジ部１２ｂの壁面９２ａ側の端部から下方に延びる板状の第２背板部１２ｃを有する。第２背板部１２ｃは、第１側辺部１１側の端部で第１背板部１１ｃに連続している。第２背板部１２ｃには、壁面９２ａに沿う水平方向における前板部１ａ側の端部に下側が開放された切欠部１２ｄが設けられている。切欠部１２ｄは、第１背板部１１ｃが壁面９１ａに接触した状態で、壁面９２ａに配設された第２棚受部２２に対応する位置に設けられている。第２背板部１２ｃは、上方から第２棚受部２２に切欠部１２ｄを嵌め合わせて取り付けられる。
【００２０】
第２棚受部２２は、円筒状のボス２２ａにワッシャ２２ｄを嵌め合わせ、ボス２２ａをビス２２ｂによって壁面９２ａに固定し、キャップ２２ｃをボス２２ａの先端側に嵌め込む構成としている。第２棚受部２２は、壁面９２ａからボス２２ａが突起するように設けられている。ボス２２ａは、硬質性の樹脂材料等で形成されており、先端部２２ｅが径方向に張り出す鍔状に形成されており、基端側から先端側にかけて円筒状の胴部２２ｆを有する。胴部２２ｆの先端側と先端部２２ｅとは、先端側に向うにつれて外径寸法が大きくなるテーパ部２２ｇによって接続されている。第２側辺部１２の第２背板部１２ｃにおける切欠部１２ｄは、ボス２２ａの胴部２２ｆまたはテーパ部２２ｇに嵌め合わされる。切欠部１２ｄにおける、開放端から上下方向の中途部までの切欠き幅は、胴部２２ｆの外径寸法よりも大きい。
【００２１】
図５は、図２に示すＡ−Ａ線による断面図である。第１側辺部１１は、挿入孔１１ｄにボス２１ａおよび滑り止め部２１ｄが挿入されるようにして第１棚受部２１に取り付けられる。ボス２１ａは、軸方向を含む断面が矩形状であり、対角線の長さ寸法が挿入孔１１ｄの内径寸法よりも大きい。第１フランジ部１１ｂは、ボス２１ａの高さに合わせて第１壁部１１ａと第１背板部１１ｃとの間の幅寸法が設定されている。滑り止め部２１ｄは、先端部が規制部２１ｅに接触することによってボス２１ａからの抜けが防止される。また、滑り止め部２１ｄの外周面は、挿入孔１１ｄに接触しており、挿入孔１１ｄとの間に摩擦力が働くことで、滑り止めとなっている。
【００２２】
図６は、棚１の第２側辺部１２側から見た側面図である。尚、図６において、ワッシャ２２ｄの図示は省略されている。切欠部１２ｄは、ボス２２ａの胴部２２ｆに嵌め合わされており、内周面の上部３２ａが胴部２２ｆの上部に接触する。第２側辺部１２は、切欠部１２ｄの内周面における壁面９１ａ側の側部３２ｂがボス２２ａに接触することによって、壁面９１ａの法線方向への移動が規制される。切欠部１２ｄは、開放端における壁面９１ａ側の縁部３２ｃがテーパ状に切除されている。第２側辺部１２に沿う水平方向において、切欠部１２ｄと胴部２２ｆとの間にはクリアランスが設けられている。
【００２３】
図７は、図６に示すＢ−Ｂ線による断面図である。第２背板部１２ｃは、上部から下部に向かうにつれて厚みが小さくなるくさび状としてある。切欠部１２ｄの内周面における上部３２ａはボス２２ａの胴部２２ｆに接触している。胴部２２ｆの軸方向長さ寸法は、第２背板部１２ｃおよびワッシャ２２ｄの厚みの合計寸法よりも大きくしてあり、上部３２ａがボス２２ａの軸方向に移動できるようにクリアランスが設けられている。棚１は、上部３２ａが先端部２２ｅの方へ移動するような荷重を受けた場合、上部３２ａが鍔状の先端部２２ｅの手前でテーパ部２２ｇに接触することによって動きが止まり、移動が規制される。
【００２４】
次に、棚１の動作について説明する。図８は、棚１の取付方法を説明するための模式図である。棚１の取付方法は、棚１の第１側辺部１１に第１棚受部２１を挿入して取り付けられる第１工程と、第２側辺部１２を第２棚受部２２に嵌め合わせて取り付けられる第２工程とを備える。なお、第１工程の前に、第１棚受部２１および第２棚受部２２は、それぞれ壁面９１ａおよび９２ａに取り付けられる。
【００２５】
図８（ａ）〜（ｃ）は棚１の取付方法の流れを第２側辺部１２側から見た側面図で示している。図８（ａ）に示すように、第１工程において、前板部１ａが高くなるように棚１を傾け、第２側辺部１２を第２棚受部２２の上方に位置させる。棚１は、第１側辺部１１に第１棚受部２１を壁面９１ａの法線方向に挿入して取り付けられる。このとき、第１棚受部２１は、第１側辺部１１の第１背板部１１ｃに設けた挿入孔１１ｄに挿入される。
【００２６】
続いて、図８（ｂ）に示すように、第２工程において、棚１の前板部１ａを下降させて、第２側辺部１２の切欠部１２ｄが第２棚受部２２に上方から嵌め合わされるようにして取り付けられる。このとき、第２側辺部１２の切欠部１２ｄは、第２棚受部２２におけるボス２２ａの胴部２２ｆに嵌め合わされる。これらの工程によって棚１の取り付けを容易に行うことができ、図８（ｃ）のように、切欠部１２ｄの内周面における上部３２ａがボス２２ａの胴部２２ｆに接触し、第１棚受部２１および第２棚受部２２へ棚１が取り付けられる。
【００２７】
図９はコーナー部が鋭角に形成されている場合の棚１の取付状態を示す模式図である。図９は棚１の平面図に相当し、棚１の輪郭を実線で表し、第１棚受部２１および第２棚受部２２を実線で表している。上述のとおり、第１工程および第２工程により棚１を第１棚受部２１および第２棚受部２２に取り付けた後、第３工程によって棚１の位置を調整する。
【００２８】
第３工程では、図９に示すように棚１の第１側辺部１１の第３壁部１３側において、棚１を壁パネル９１に押し付けるように荷重Ｆ１を与えつつ、第２側辺部１２の前板部１ａ側において、棚１を壁パネル９２に押し付けるように荷重Ｆ２を与える。これにより、棚１は、第１側辺部１１が壁パネル９１に対して第２側辺部１２側がやや開いて傾斜した状態となり、第２側辺部１２が壁パネル９２に対して第１側辺部１１側がやや開いて傾斜した状態となる。尚、ワッシャ２２ｄは、ボス２２ａに嵌め合わされていても良いし、取り除かれていても良い。ワッシャ２２ｄは、シリコンやゴム等の軟質性の樹脂材料で形成することにより、変形させてボス２２ａの先端部２２ｅから抜き去ることができる。
【００２９】
図１０は第２側辺部１２の切欠部１２ｄと第２棚受部２２の胴部２２ｆとの嵌め合い部分を示す模式図である。図１０は棚１の第２側辺部１２側から見た側面図に相当する。第２側辺部１２に沿う水平方向において、切欠部１２ｄと胴部２２ｆとの間にはクリアランスが設けられており、コーナー部が鋭角の場合、第３工程における位置調整によって、胴部２２ｆが切欠部１２ｄの側部３２ｂ側に寄った状態となる。
【００３０】
棚１は、第３工程による位置調整の後、第１棚受部２１の滑り止め部２１ｄと、第１側辺部１１の挿入孔１１ｄとの間に摩擦力が働いて調整された位置に留まる。即ち、第１側辺部１１の挿入孔１１ｄは、第３壁部１３側においてボス２１ａの基端部に深く嵌まり込み、第２側辺部１２側においてボス２１ａの基端部からやや浮いた状態で嵌まり込む。また、第２側辺部１２が壁パネル９２に対して第１側辺部１１側がやや開いた状態となっているので、挿入孔１１ｄが第１棚受部２１に片当たりし、滑り止め部２１ｄが大きく弾性変形することで、挿入孔１１ｄと滑り止め部２１ｄとの間に働く摩擦力が増大する。棚１は、位置調整のための第３工程を、第１棚受部２１および第２棚受部２２に対するビスの締結作業を伴うことなく行えるので、直角が出ていないコーナー部においても容易に取り付けることができる。また棚１は、挿入孔１１ｄと滑り止め部２１ｄが嵌め合っているので、ガタつきを抑制することができる。
【００３１】
図１１はコーナー部が鈍角に形成されている場合の棚１の取付状態を示す模式図である。図１１は棚１の平面図に相当し、棚１の輪郭を実線で表し、第１棚受部２１および第２棚受部２２を実線で表している。上述のとおり、第１工程および第２工程により棚１を第１棚受部２１および第２棚受部２２に取り付けた後、第４工程によって棚１の位置を調整する。
【００３２】
第４工程では、図１１に示すように棚１の第１側辺部１１の中央部において、棚１を壁パネル９１に押し付けるように荷重Ｆ３を与える。これにより、棚１は、第１側辺部１１が壁パネル９１にほぼ平行に配置された状態となり、第２側辺部１２が壁パネル９２に対して前板部１ａ側がやや開いて傾斜した状態となる。また、第２側辺部１２の前板部１ａ側において、棚１を壁パネル９２に押し付けるように荷重Ｆ４を与えて、第２側辺部１２の開きを抑制するようにしても良く、このとき、第１側辺部１１は、壁パネル９１に対して第３壁部１３側がやや開いて傾斜した状態となる。
【００３３】
図１２は第２側辺部１２の切欠部１２ｄと第２棚受部２２の胴部２２ｆとの嵌め合い部分を示す模式図である。図１２は棚１の第２側辺部１２側から見た側面図に相当する。コーナー部が鈍角である場合、第４工程における位置調整によって、胴部２２ｆが切欠部１２ｄの側部３２ｂと反対側の側部に寄った状態となる。
【００３４】
棚１は、第４工程による位置調整の後、第１棚受部２１の滑り止め部２１ｄと、第１側辺部１１の挿入孔１１ｄとの間に摩擦力が働いて調整された位置に留まる。即ち、第１側辺部１１の挿入孔１１ｄは、ボス２１ａの基端部に深く嵌まり込む。第１側辺部１１を壁パネル９１に対して第３壁部１３側がやや開いた状態とした場合には、第３壁部１３側の挿入孔１１ｄは、ボス２１ａの基端部からやや浮いた状態で嵌まり込む。棚１は、位置調整のための第４工程を、第１棚受部２１および第２棚受部２２に対するビスの締結作業を伴うことなく行えるので、直角が出ていないコーナー部においても容易に取り付けることができる。
【００３５】
図１３は、棚１に下向きの荷重が加わる場合を説明するための模式図である。棚１の前板部１ａにおける第２側辺部１２寄りの位置に、下向きの荷重Ｐ１が加わる場合、荷重Ｐ１は、主として第２棚受部２２で支持される。荷重Ｐ１の加わる位置が第２棚受部２２よりも前方であった場合、第１側辺部１１は、上向きの力を受けるが、第１背板部１１ｃに設けた挿入孔１１ｄに第１棚受部２１が挿入されているため、第１棚受部２１から外れ難くなっている。
【００３６】
棚１の前板部１ａにおける第３壁部１３寄りの位置に、下向きの荷重Ｐ２が加わる場合、荷重Ｐ２は、主として第３壁部１３側に設けた第１棚受部２１で支持される。荷重Ｐ２の加わる位置が、壁面９１ａに沿う水平方向において、第３壁部１３側に設けた第１棚受部２１よりも外側であった場合、第１側辺部１１は、第２側辺部１２側で上向きの力を受ける。このとき、第１側辺部１１は、第１背板部１１ｃに設けた挿入孔１１ｄに第２側辺部１２側の第１棚受部２１が挿入されているため、第１棚受部２１から外れ難くなっている。
【００３７】
棚１の底板１０の中央部に下向きの荷重Ｐ３が加わる場合、荷重Ｐ３は、第１側辺部１１の両端部における第１棚受部２１、および第２棚受部２２によって支持される。このとき、第１側辺部１１および第２側辺部１２は、下向きの力を受けており、第１棚受部２１および第２棚受部２２によって支持されるので、第１棚受部２１および第２棚受部２２から外れ難くなっている。
【００３８】
コーナー部が鋭角または鈍角で形成されている場合でも、第１側辺部１１は、挿入孔１１ｄに第１棚受部２１が挿入され、摩擦力によって位置が留まっているため、第１棚受部２１から外れ難くなっている。
【００３９】
図１４は、棚１に上向きの荷重が加わる場合を説明するための模式図である。棚１は、前板部１ａの第２側辺部１２寄りの位置に上向きの荷重Ｐ４が加わる場合、第１側辺部１１における壁面９１ａに沿う水平軸まわりの下向きモーメントよりも、荷重Ｐ４で生じる上向きモーメントが大きいと、前板部１ａ側が持ち上がる。下向きモーメントは、棚１の自重、および積載した重量によって生じる。棚１は、前板部１ａ側が持ち上がる際に、第２側辺部１２が第２棚受部２２から上方へ外れ、第１側辺部１１における壁面９１ａに沿う水平軸まわりに上方へ回動する。このとき、第１側辺部１１の第１背板部１１ｃに設けた挿入孔１１ｄの内周面が第１棚受部２１のボス２１ａの外周面に当接することによって、棚１の回動が停止し、第１側辺部１１が第１棚受部２１から外れ難くなっている。
【００４０】
棚１は、前板部１ａの第３壁部１３寄りの位置に上向きの荷重Ｐ５、または中央部に上向きの荷重Ｐ６が加わる場合、上述の荷重Ｐ４を受ける場合と同様に、壁面９１ａに沿う水平軸まわりのモーメントによって前板部１ａ側が持ち上がる可能性がある。棚１は、荷重Ｐ４の場合と同様に、第１背板部１１ｃに設けた挿入孔１１ｄの内周面が第１棚受部２１のボス２１ａの外周面に当接することによって、棚１の回動が停止し、第１側辺部１１が第１棚受部２１から外れ難くなっている。また、荷重Ｐ５またはＰ６によって壁面９２ａに沿う水平軸まわりに生じるモーメントは第１側辺部１１の両端部に設けた第１棚受部２１によって支持されるので、第１側辺部１１は、第１棚受部２１から外れ難くなっている。
【００４１】
コーナー部が鋭角または鈍角で形成されている場合でも、第１側辺部１１の挿入孔１１ｄに第１棚受部２１が挿入され摩擦力によって位置が留まっており、２つの挿入孔１１ｄのうちいずれか一方または両方がボス２１ａの基端部に深く嵌まり込んでいる。従って、棚１は荷重Ｐ４〜Ｐ６を受けた場合にも、挿入孔１１ｄの内周面が第１棚受部２１のボス２１ａの外周面に当接することによって、棚１の回動が停止し、第１側辺部１１が第１棚受部２１から外れ難くなっている。
【００４２】
次に、実施形態の棚１の特徴を説明する。
本発明の実施形態の棚１は、壁面９１ａ（第１壁面）から突起するように設けられた第１棚受部２１に取り付けられる第１側辺部１１と、壁面９１ａとの間にコーナー部を形成する壁面９２ａ（第２壁面）に設けられた第２棚受部２２に取り付けられる第２側辺部１２とを備える。第１棚受部２１は、壁面９１ａから突起するボス２１ａを有する。第１側辺部１１は、ボス２１ａを挿入する挿入孔１１ｄを有する。ボス２１ａと挿入孔１１ｄとの間には、軟質性の滑り止め部２１ｄが設けられている。これにより、棚１は、直角が出ていないコーナー部においても、ガタつきを抑制し、容易に取り付けることができる。
【００４３】
また棚１は、滑り止め部２１ｄが円筒状でありボス２１ａの外周部に設けられている。これにより、棚１は、直角が出ていないコーナー部においても、ガタつきを抑制し、容易に取り付けることができる。
【００４４】
また棚１は、滑り止め部２１ｄの外径寸法が挿入孔１１ｄの内径寸法よりも大きい。これにより、棚１は、滑り止め部２１ｄが挿入孔１１ｄによって押圧されて弾性変形することで、滑り止め部２１ｄと挿入孔１１ｄとの間の摩擦力を大きくすることができる。
【００４５】
また棚１は、ボス２１ａの先端部に滑り止め部２１ｄの抜け止めとなる規制部２１ｅを有する。これにより、滑り止め部２１ｄがボス２１ａから抜け出てしまうこと防止することができる。
【００４６】
また棚１は、第２側辺部１２の切欠部１２ｄが第２棚受部２２のボス２２ａに嵌め合わされている。切欠部１２ｄとボス２２ａとの嵌め合い部分に、壁面９２ａに沿う水平方向のクリアランスが設けられている。これにより、コーナー部が鋭角または鈍角に形成されている場合に、棚１の取り付けが容易になる。
【００４７】
（変形例）
図１５は、変形例に係る棚１の第２側辺部１２における切欠部１２ｄに設ける規制部材４の外観を示す斜視図である。規制部材４は、Ｕ字状をなし、外周に設けた溝４ａを切欠部１２ｄに嵌め合わせて第２側辺部１２に固定する。規制部材４は、開口幅が第２棚受部２２の胴部２２ｆの外径寸法よりも小さく、内径寸法が胴部２２ｆの外径寸法よりも大きい。このため、第２棚受部２２の胴部２２ｆは、棚１を取り付ける際に、規制部材４の開口部分から規制部材４内に押し込まれた後、開口部分から外部へ外れないよう規制される。これにより、棚１は第２側辺部１２が第２棚受部２２から外れ難くなる。
【００４８】
上述の実施形態においては、棚１の底板１０の前端側および前板部１ａは前方に対して凹状としているが、直線状または凸状としてもよい。また、第１棚受部２１および第２棚受部２２は軸方向の断面形状が円形状であるが、楕円形状や多角形状としてもよく、同様に、第１側辺部１１に設けられる挿入孔１１ｄは、楕円状や多角形状の孔であってもよい。
【００４９】
また上述の実施形態においては、第１棚受部２１の滑り止め部２１ｄの外径寸法は、挿入孔１１ｄの内径寸法よりも大きくしてあるが、挿入孔１１ｄの内径寸法よりも小さくしてもよい。この場合でも、滑り止め部２１ｄを軟質性の材料で形成することによって、滑り止め部２１ｄと挿入孔１１ｄとの間に摩擦力が働き、上述の実施形態と同様にガタつきを低減し、棚１が外れ難くなる。
【００５０】
また上述の実施形態においては、滑り止め部２１ｄは、第１棚受部２１のボス２１ａに嵌め合わせる構成としたが、軟質性の材料で形成される滑り止め部を挿入孔１１ｄ側に設ける構成としてもよい。また、ボス２１ａと滑り止め部２１ｄを一体的に成形してもよい。この場合、ボス２１ａを硬質性の材料とし、滑り止め部２１ｄをボス２１ａより硬度が低い軟質性の材料とする、いわゆる２色成形によって一体的に成形することができ、製造コストや組立作業を簡易化することができる。
【００５１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５２】
１  棚、  １１  第１側辺部、  １１ｄ  挿入孔、  １２  第２側辺部、
２１  第１棚受部、  ２１ａ  ボス、  ２１ｄ  滑り止め部、  ２１ｅ  規制部、
２２  第２棚受部、  ９１ａ  壁面（第１壁面）、  ９２ａ  壁面（第２壁面）。
【図１】
2019013335.tif 000003
【図２】
2019013335.tif 000004
【図３】
2019013335.tif 000005
【図４】
2019013335.tif 000006
【図５】
2019013335.tif 000007
【図６】
2019013335.tif 000008
【図７】
2019013335.tif 000009
【図８】
2019013335.tif 000010
【図９】
2019013335.tif 000011
【図１０】
2019013335.tif 000012
【図１１】
2019013335.tif 000013
【図１２】
2019013335.tif 000014
【図１３】
2019013335.tif 000015
【図１４】
2019013335.tif 000016
【図１５】
2019013335.tif 000017